(57)【要約】【課題】  リニアフィールド光学レンズ塵埃等の汚染ないしは汚損物を効果的に排除することができるようにして、光学ピックアップ装置、光記録再生装置光記録媒体における光記録媒体に対する塵埃等の汚染ないしは汚損物の付着を効果的に回避できるようにする。【解決手段】  光入射面５１ａが凸球面とされ、対物面５１ｂが凸形状とされ、この対物面５１ｂまたは／および対物レンズの保持体の対物側の面に集塵手段６０が設けられた構成とする。【選択図】        図２
2006209909.tif 000002
【特許請求の範囲】
【請求項１】
光入射面が凸球面とされ対物面が凸形状とされた光学レンズを有し、
該光学レンズの上記対物面、または／および該光学レンズをその外周部の少なくとも一部で保持する光学レンズ保持体の対物側の面に集塵手段が設けられて成ることを特徴とする光学レンズ装置。
【請求項２】
上記集塵手段は、上記光学レンズの凸形状部の集光部よりはずれ、かつ上記凸形状部の先端位置より後退した位置に配置されて成ることを特徴とする請求項１に記載の光学レンズ装置。
【請求項３】
上記光学レンズがソリッドイマージョンレンズであることを特徴とする請求項１に記載の光学レンズ装置。
【請求項４】
上記集塵手段が、粘着フィルム、帯電フィルム、帯電装置、吸引装置のいずれかによることを特徴とする請求項１に記載の光学レンズ装置。
【請求項５】
上記対物面の凸形状部が、円錐形状、角錐形状、球面形状とされたことを特徴とする請求項１に記載の光学レンズ装置。
【請求項６】
同一光軸上に、対物側から第１の光学レンズと、第２の光学レンズとが配置されて成るニアフィールド集光レンズであって、
上記第１の光学レンズが、光入射面が凸球面とされ対物面が凸形状とされた光学レンズを有し、該光学レンズの上記対物面、または／および該光学レンズをその外周部の少なくとも一部で保持する光学レンズの対物側の面に集塵手段が設けられて成る光学レンズ装置より成り、
上記第２の光学レンズが、集光レンズより成ることを特徴とするニアフィールド集光レンズ装置。
【請求項７】
上記集塵手段は、上記光学レンズの凸形状部の集光部よりはずれ、かつ上記凸形状部の先端位置より後退した位置に配置されて成ることを特徴とする請求項６に記載のニアフィールド集光レンズ装置。
【請求項８】
上記光学レンズ装置の光学レンズが、ソリッドイマージョンレンズであることを特徴とする請求項６に記載のニアフィールド集光レンズ装置。
【請求項９】
上記集塵手段が、粘着フィルム、帯電フィルム、帯電装置、吸引装置のいずれかによることを特徴とする請求項６に記載のニアフィールド集光レンズ装置。
【請求項１０】
上記光学レンズ装置の対物面の凸形状部が、円錐形状、角錐形状、球面形状とされたことを特徴とする請求項６に記載のニアフィールド集光レンズ装置。
【請求項１１】
少なくとも、光源部と、該光源部からの出射光を集光するニアフィールド集光レンズ装置とを有し、
該ニアフィールド集光レンズ装置は、同一光軸上に、対物側から第１の光学レンズと、第２の光学レンズとが配置されて成り、
上記第１の光学レンズが、光入射面が凸球面とされ対物面が凸形状とされた光学レンズを有し、
該光学レンズの上記対物面、または／および該光学レンズをその外周部の少なくとも一部で保持する光学レンズ保持体の対物側の面に集塵手段が設けられて成る光学レンズ装置より成り、
上記第２の光学レンズが、集光レンズより成ることを特徴とする光学ピックアップ装置。
【請求項１２】
上記集塵手段は、上記光学レンズの凸形状部の集光部よりはずれ、かつ上記凸形状部の先端位置より後退した位置に配置されて成ることを特徴とする請求項１１に記載の光学ピックアップ装置。
【請求項１３】
上記光学レンズ装置の、光学レンズが、ソリッドイマージョンレンズであることを特徴とする請求項１１に記載の光学ピックアップ装置。
【請求項１４】
上記集塵手段が、粘着フィルム、帯電フィルム、帯電装置、吸引装置のいずれかによることを特徴とする請求項１１に記載の光学ピックアップ装置。
【請求項１５】
上記集塵手段は、上記凸形状部の集光部よりはずれ、かつ上記凸形状部の先端位置より後退した位置に配置されて成ることを特徴とする請求項１１に記載の光学ピックアップ装置。
【請求項１６】
少なくとも光記録媒体の配置部と、光学ピックアップ装置とを有し、上記光記録媒体に対する光記録または／および再生がなされる光記録再生装置であって、
上記光学ピックアップ装置は少なくとも、光源部と、該光源部からの出射光を集光するニアフィールド集光レンズとを有し、
該ニアフィールド集光レンズは、同一光軸上に、対物側から第１の光学レンズと、第２の光学レンズとが配置されて成り、
上記第１の光学レンズが、光入射面が凸球面とされ対物面が凸形状とされた光学レンズを有し、該光学レンズの上記対物面、または／および該光学レンズをその外周部の少なくとも一部で保持する光学レンズ保持体の対物側の面に集塵手段が設けられて成る光学レンズ装置より成り、
上記第２の光学レンズが、集光レンズより成ることを特徴とする光記録再生装置。
【請求項１７】
上記集塵手段は、上記光学レンズの凸形状部の集光部よりはずれ、かつ上記凸形状部の先端位置より後退した位置に配置されて成ることを特徴とする請求項１６に記載の光記録再生装置。
【請求項１８】
上記光学レンズ装置の光学レンズが、ソリッドイマージョンレンズであることを特徴とする請求項１６に記載の光記録再生装置。
【請求項１９】
上記集塵手段が、粘着フィルム、帯電フィルム、帯電装置、吸引装置のいずれかによることを特徴とする請求項１６に記載の光記録再生装置。
【請求項２０】
上記対物面の凸形状部が、円錐形状、角錐形状、球面形状とされたことを特徴とする請求項１６に記載の光記録再生装置。
【発明の詳細な説明】
【技術分野】
【０００１】
本発明は、光記録媒体に対するニアフィールド光記録または／および再生に適用して好適な光学レンズ装置、ニアフィールド集光レンズ装置、光学ピックアップ装置、および光記録再生装置に関する。
【背景技術】
【０００２】
コンパクトディスク（ＣＤ）、ミニディスク（ＭＤ）、デジタルビデオディスク（ＤＶＤ）で代表される光（もしくは光磁気）記録または／および再生がなされる光記録媒体は、音楽情報、映像情報、データ、プログラム等の格納媒体として広く利用されている。
しかしながら、音楽情報、映像情報、データ、プログラム等の、更なる高音質化、高画質化、長時間化、大容量化により、更に、大容量の記録、したがって、高密度記録化の要求から記録または／および再生光の短波長化、集光レンズの開口数の増大化が図られ、集光光スポットの小径化が図られている。
【０００３】
例えば、半導体レーザ光に関しては、発振波長が従来の赤色レーザの６３５ｎｍから４００ｎｍ帯に短波長化されたＧａＮ半導体レーザが実用化され、更に、２６６ｎｍの単一波長の光を連続発振する遠紫外固体レーザを用いることによって、スポットの小径化が図られようとしている。
また、光源として、Ｎｄ：ＹＡＧレーザの２倍波レーザ（２６６ｎｍ帯）、ダイヤモンドレーザ（２３５ｎｍ帯）、ＧａＮレーザの２倍波レーザ（２０２ｎｍ帯）などの研究、開発が進められている。
【０００４】
一方、例えば、ソリッドイマ―ジョンレンズに代表される開口数の大なる光学レンズを用いることによって、例えば開口数１以上のニアフィールド集光レンズ装置を実現し、ソリッドイマージョンレンズの対物面を、光記録媒体に対して光源波長の１０分の１程度までに近接させることによりニアフィールド光(近接場光)による記録または／および再生を行う光記録再生方法の検討がなされている。
【０００５】
このニアフィールド光記録再生は、例えば、図８に概略構成図を示すように、光記録媒体１００に近接対向して、ソリッドイマージョンレンズによる第１の光学レンズ１０１と集光レンズによる第２の光学レンズ１０２とが同一光軸Ｏ上に配置されてニアフィールド集光レンズ装置１０３が用いられる。
ソリッドイマージョンレンズによる第１の光学レンズ１０１は、その光入射側、すなわち第２の光学レンズ側において、凸球面とされ、対物面がレンズの光軸を中心とする凸形状とされる。照射光例えばレーザ光１０４は、第２の光学レンズ１０２によって集光されて第１の光学レンズ１０１に導入され、その光記録媒体１００と対向する対物面に集光させ、微小スポットの近接場光を生じさせるようになされる。
【０００６】
第１の光学レンズ１０１のソリッドイマージョンレンズは、例えば超半球形状あるいは半球形状とすることができ、超半球構成とした場合は、その曲率半径をｒ、光学レンズの屈折率をｎ、光学レンズ１０１の光軸方向の厚さをｔとすると、ｔ＝ｒ（１＋１／ｎ）の関係がある。
また、例えば、第１の光学レンズ１０１を半球形状で形成した場合は、光学レンズの曲率半径をｒ、光学レンズの厚さをｔとすると、ｔ＝ｒの関係がある。
【０００７】
このニアフィールド集光レンズ装置１０３は、図示しないが、例えば２軸アクチュエータによって光記録媒体１００との距離を光学的なコンタクト状態に維持する。
【０００８】
このニアフィールド光記録再生方法にあって、光記録媒体に対するフォーカシング方向、または／およびトラッキング方向に制御駆動される集光レンズの安定制御を図ることができるとともに、ナノメートルオーダの距離で光記録媒体と安定した記録再生が行えるように、光記録媒体とそのニアフィールド集光レンズ装置の第１の光学レンズ、すなわちソリッドイマージョンレンズの傾きマージンを大きくし、かつ対物面および光記録媒体表面が清浄であり、塵埃などのレンズおよび光記録媒体に対する汚染ないしは汚損物質ができる限り少ない環境で動作させることが必要である。
【０００９】
そのため、第１の光学レンズ１０１のソリッドイマージョンレンズでは、その対物面をレンズの光軸を中心とする凸形状、例えば円錐形状とし、その先端部に微小スポットのエバネッセント光の近接場光集光が生じるようになされ、光記録媒体との距離を数十ｎｍにした場合でも、傾きマージンが、±０．１度程度確保できるようにされる。
また、光学レンズ１０１の対物面を円錐形状等にしたことにより、光学レンズと光記録媒体との間に入り込んでくる塵埃等の汚染ないしは汚損物質を、凸形状例えば円錐形状面に沿って周囲に流れていくようにして、光学レンズ１０１の集光部となる対物面に塵埃が巻き込まれて、光学レンズの集光部や、光記録媒体の汚染ないしは汚損をある程度回避する効果を期待することができる。
【００１０】
ところが、この構成においても、例えば円錐形状面に沿って流れた塵埃等の汚染物が、光記録媒体１００の表面に付着してしまい、光記録媒体１０１の表面を汚染ないしは汚損してしまうという問題が生じている。
【００１１】
従来、ニアフィールド用光ヘッドにおいて、汚染防止対策を講じたものの提案はなされている(例えば特許文献１参照)。
しかしながら、この汚染除去手段は、例えば対物レンズのサスペンションに配置され、上述した光学レンズ１０１から光記録媒体に沿って流れる塵埃の光記録媒体への付着による汚染ないしは汚損を充分回避できる効果が得難い。
【特許文献１】特開２００２−２３０８１１号
【発明の開示】
【発明が解決しようとする課題】
【００１２】
本発明は、光学レンズの凸形状対物面側に流れる塵埃等の汚染ないしは汚損物を効果的に排除することができるようにした光学レンズ装置、ニアフィールド集光レンズ装置、光学ピックアップ装置、および光記録再生装置を提供し、互いに近接する光学レンズや光記録媒体における塵埃等の汚染物ないしは汚損物(以下単に汚染物という)の付着による記録再生のエラーの発生、特性の低下、光学レンズおよび光記録媒体表面の損傷等を効果的に回避することができるようにするものである。
【課題を解決するための手段】
【００１３】
本発明による光学レンズ装置は、光入射面が凸球面とされ対物面が凸形状とされた光学レンズを有し、該光学レンズの上記対物面、または／および該光学レンズをその外周部の少なくとも一部で保持する光学レンズ保持体の対物側の面に集塵手段が設けられて成ることを特徴とする。
【００１４】
本発明によるニアフィールド集光レンズ装置は、同一光軸上に、対物側から第１の光学レンズと、第２の光学レンズとが配置されて成るニアフィールド集光レンズであって、
上記第１の光学レンズが、光入射面が凸球面とされ対物面が凸形状とされた光学レンズを有し、該光学レンズの上記対物面、または／および該光学レンズをその外周部の少なくとも一部で保持する光学レンズ保持体の対物側の面に集塵手段が設けられて成る光学レンズ装置より成り、上記第２の光学レンズが、集光レンズより成ることを特徴とする。
【００１５】
本発明による光学ピックアップ装置は、少なくとも、光源部と、該光源部からの出射光を集光するニアフィールド集光レンズ装置とを有し、該ニアフィールド集光レンズ装置は、同一光軸上に、対物側から第１の光学レンズと、第２の光学レンズとが配置されて成り、上記第１の光学レンズが、光入射面が凸球面とされ対物面が凸形状とされた光学レンズを有し、該光学レンズの上記対物面、または／および該光学レンズをその外周部の少なくとも一部で保持する光学レンズ保持体の対物側の面に集塵手段が設けられて成る光学レンズ装置より成り、上記第２の光学レンズが、集光レンズより成ることを特徴とする。
【００１６】
本発明による光記録再生装置は、少なくとも光記録媒体の配置部と、光学ピックアップ装置とを有し、上記光記録媒体に対する光記録または／および再生がなされる光記録再生装置であって、上記光学ピックアップ装置は少なくとも、光源部と、該光源部からの出射光を集光するニアフィールド集光レンズ装置とを有し、該ニアフィールド集光レンズ装置は、同一光軸上に、対物側から第１の光学レンズと、第２の光学レンズとが配置されて成り、上記第１の光学レンズが、光入射面が凸球面とされ対物面が凸形状とされた光学レンズを有し、該光学レンズの上記対物面、または／および該光学レンズをその外周部の少なくとも一部で保持する光学レンズ保持体の対物側の面に集塵手段が設けられて成る光学レンズ装置より成り、上記第２の光学レンズが、集光レンズより成ることを特徴とする。
【００１７】
上述した本発明の各構成にあって、上記集塵手段は、上記光学レンズの凸形状部の集光部よりはずれた、すなわち集光部以外で、かつ上記凸形状部の先端位置より後退した位置に配置されて成ることを特徴とする。
また、上述した本発明の各構成にあって、上記光学レンズがソリッドイマージョンレンズであることを特徴とする。
また、上述した本発明の各構成にあって、上記集塵手段が、粘着フィルム、帯電フィルム、帯電装置、吸引装置のいずれかによることを特徴とする。
また、上述した本発明の各構成にあって、上記対物面の凸形状部が、円錐形状、角錐形状、球面形状とされたことを特徴とする。
【発明の効果】
【００１８】
上述したように、本発明による光学レンズ装置は、光入射が凸球面とされ、対物面が凸形状とされた光学レンズ、または／およびこの光学レンズをその外周部で保持する光学レンズ保持体の前方面すなわち対物側に集塵手段が設けた構成としたことによって、光学レンズの先端から流れる塵埃等の汚染物を直ちに効率よく集塵排除することができるものである。
したがって、この塵埃等の汚染物によって生じる不都合を良好に改善できるものである。
すなわち、ニアフィールド構成とする場合におけるソリッドイマージョンレンズとこれに対向する対向物とが至近関係にある構成においては、光学レンズ自体や、これに対する対向物例えば光学ピックアップ装置、光記録再生装置等においては、光記録媒体に、上述した先端から流れる塵埃が付着しやすく、これらを汚染する。また、一旦各部に付着した塵埃が剥離して他部に再付着して光記録媒体等を汚染する。
【００１９】
ところが、上述したように、本発明による光学レンズ装置、ニアフィールド集光レンズ装置、光学ピックアップ装置、および光記録再生装置によれば、その塵埃等の汚染物を集塵して効果的に排除することから、上述した不都合を効果的に回避することができるものである。
【発明を実施するための最良の形態】
【００２０】
本発明による光学レンズ装置、ニアフィールド集光レンズ装置、光学ピックアップ装置、および光記録再生装置の実施の形態例を、図面を参照して説明する。
先ず、図１の概略構成図を参照して、光記録媒体１例えば光ディスクに対する光記録または／および再生を行う本発明による光記録再生装置の実施の形態例を説明する。
この光記録再生装置は、少なくとも光記録媒体１例えば光ディスクが配置され、これを回転駆動する光記録媒体の配置部３０と、光学ピックアップ装置４０とを有して成る。
光学ピックアップ装置４０は、少なくとも、光源部１０と、この光源部１０からの出射光例えばレーザ光を集光し、微小スポットのニアフィールド(近接場)光を得るニアフィールド集光レンズ装置５０とを有し、更に、例えばコリメートレンズ１１と、無偏光ビームスプリッタ１２と、偏光ビームスプリッタ１３と、１／４波長板１４と、ビームエキスパンダー１５と、ミラー１６と、集光レンズ１８と、受光手段１９と、集光レンズ２０と、受光手段２１とを有して成る。
【００２１】
ニアフィールド集光レンズ装置５０は、図２に示すように、同一光軸Ｏ上に、対物側すなわち光記録媒体１側から配置された光学レンズ装置６１による第１の光学レンズ５１と、集光レンズによる第２の光学レンズ５２とによって構成される。
光学レンズ装置６１は、ソリッドイマージョンレンズ（ＳＩＬ）による第１の光学レンズ５１の対物面側、または／およびこの第１の光学レンズ５１をその全外周もしくは一部の外周部で保持するレンズ保持体６２の対物側に集塵手段２０が設けられた構成を有する。
第１の光学レンズ５１は、その微小スポットの近接場光を得るための光を入射させる光入射面５１ａが凸球面とされ、対物側の対物面５１ｂが凸形状とされ、その先端の中心部に微小スポットの近接場光を得るすなわち全反射を生じさせる光の集光部が形成されるようになされる。
そして、この実施の形態例では、第１の光学レンズ５１の対物面５１ｂに集塵手段６０が設けられた構成とした場合である。
【００２２】
このニアフィールド集光レンズ装置５０の第１の光学レンズ５１と対物との間のギャップ、すなわち光記録媒体１とのギャップは、光源波長の１０分の１程度に選定される。
そして、この光学レンズ構体５０は、例えば２軸アクチュエータ５３に搭載され、そのトラッキング用コイル５３Ａとギャップ制御用コイル５３Ｂとによって、光記録媒体１に対するトラッキング制御とギャップ制御とがなされる。
【００２３】
図１の構成において、光源部１０から出射されたレーザ光は、コリメートレンズ１１により平行光とされて無偏光ビームスプリッタ１２、偏光ビームスプリッタ１３を通過して１／４波長板１４を介してビームエキスパンダー１５によってビーム幅が調整されて、例えばミラー１６により集光光学レンズ構体５０に導入され、光記録媒体１にニアフィールド（近接場）光として照射される。
【００２４】
光記録媒体１の記録面から反射された光は、ニアフィールド集光レンズ装置５０を介してミラー１６により反射され、ビームエキスパンダー１５、１／４波長板１４を介して偏光ビームスプリッタ１３により一部反射されて集光レンズ１８により受光手段１９に集光される。また、偏光ビームスプリッタ（ＰＢＳ）１３を通過した一部の光は、無偏光ビームスプリッタ（ＮＰＢＳ）１２により反射されて、集光レンズ２０により受光手段２１に検出される。偏光ビームスプリッタ１３から反射された光を受光する受光手段１９により例えばトラッキング信号および記録情報再生信号（いわゆるＲＦ再生信号）を得るようになされ、他の受光手段２１により第１の光学レンズ５１の対物面５１ｂに集光がなされる凸形状先端部と、光記録媒体１との間のギャップを検出するギャップ検出用信号が得られるようになされる。
【００２５】
このギャップ検出は、偏光の変化を利用することによって検出することができるものである。すなわち、光記録媒体１と光学レンズのソリッドイマージョンレンズ５１とのギャップが広く、ソリッドイマージョンレンズ５１の対物面で光がほぼ全反射する場合には、ソリッドイマージョンレンズ表面で偏光が変化するので、戻り光路でＰＢＳ１３から一部の光が漏れてくる。一方、光記録媒体１とソリッドイマージョンレンズ５１とが近く、近接場光が漏れて通常の反射に近い場合には偏光の変化は小さいので、ＰＢＳ１３を漏れてくる光量は小さくなる。この差すなわち、全反射戻り光量の変化を利用してギャップ検出を行うことができる。
このギャップの検出方法としては、その他例えば静電容量の変化を検出する方法など、種々の方法を採ることができる。
【００２６】
このようにして得たトラッキング信号、ギャップ検出信号を、２軸アクチュエータ１７にフィードバックすることにより、ニアフィールド集光レンズ装置５０のトラッキングおよびギャップサーボを行うと同時に、第１の光学レンズ５１の対物面５１ｂの集光部となる凸形状部の先端と光記録媒体１とのギャップを所定ギャップに設定し、両者の衝突を避けることができる。
【００２７】
また、必要に応じてこの光学ピックアップ装置には、例えば２枚のレンズの間隔を変えことができるリレーレンズを、両ビームスプリッタ１２および１３間に挿入した構成として例えば光記録媒体の面振れに対して、２軸アクチュエータが追従した残りのフォーカスエラー成分および集光レンズの組み立て工程時に発生した誤差成分を補正することができる。
【００２８】
次に、本発明による光学レンズ５１の実施の形態例を示す。この第１の光学レンズ５１は、半球レンズあるいは超半球レンズを基本構造とするレンズ構造とすることができる。図３〜図５において、各ＡおよびＢは、それぞれ超半球レンズとした光学レンズ５１の側面図および底面図である。
光学レンズ５１は、その集光すべき光の入射面５１ａが凸球面とされ、集光側の対物面５１ｂが、光学レンズ５１の光軸Ｏを中心として突出する凸形状とされる。
そして、その対物面５１ｂに、この光学レンズ５１の集光部、すなわち少なくとも光軸もしくはその至近位置を含まない周囲部の例えば傾斜面に集塵手段６０が設けられる。
この集塵手段６０と、対物すなわち光記録媒体１との間隔は、前述した集光部におけるギャップより大に、すなわち対物面５1ｂの凸形状先端より後退した位置に配置する。
【００２９】
光学レンズ５１の対物面５１ｂにおける凸形状は、例えば図３に示すように、先端部が光軸Ｏと直交する平坦面５１ｂoを有する切頭円錐形状とする。あるいは図４に示すように、切頭形状によらない円錐状、角錐状とするとか、図５に示すように、球面形状とすることができる。
なお、その凸形状の角度は、レーザ光の入射角より大に設定されるものであり、例えば屈折率が、２〜３程度のレンズ材料を用いた場合は、６０度〜８０度である。
【００３０】
また、図３〜図５に図示の例では、その光軸Ｏ方向の厚さが前述したように、ｒ｛１＋（１／ｎ）｝とされた超半球レンズによって構成した場合である。そして、この場合、例えば図４に示すように、凸形状の先端部が、光学レンズ５１の半球面と光軸０との交点Ｐを中心とする半径ｒ／ｎの円ｆに外接する形状とするときは、入射光の光軸が、光学レンズ５１の光軸Ｏから、わずか程度傾いて交点Ｐに入射する場合においても、点Ｐと凸形状の先端までの距離をｒ／ｎとすることができる。
【００３１】
ソリッドイマージョンレンズとしての光学レンズの材料としては、上述した光学ピックアップ装置、光記録再生装置の装備するレーザ光源の波長に対して、屈折率が大きく、透過率が大きく、光吸収が小さい材料によること望ましい。このような材料としては、例えば、高屈折率ガラスであるオハラ株式会社製のＳ−ＬＡＨ７９や、高屈折率セラミックス、高屈折率単結晶材料であるＢｉ４Ｇｅ３Ｏ１２，ＳｒＴｉＯ３，ＫＴａＯ３、ＺｒＯ２，ＨｆＯ２，ＳｉＣ，ダイヤモンド、ＧａＰなどが好適である。
【００３２】
また、これら光学レンズ材料は、アモルファス構造、もしくは単結晶の場合には立方晶構造であることが、望ましい。光学レンズ材料がアモルファス構造、もしくは立方晶構造である場合、結晶方位によりエッチング速度やエッチング特性が変化しないことから通常の半導体製造技術などで用いられているエッチング方法や装置を利用することができる。
【００３３】
また、図３で示した光学レンズ５１におけるように、凸形状において、円錐形状の先端部分の平坦部の加工については、公知である半導体加工に利用されているエッチング方法や装置を利用することができるものであり、特に、微細な先端部の加工については、例えば日立製作所製の集束イオンビーム加工観察装置ＦＢ−２１００などのフォーカスイオンビーム加工方法、および加工装置を利用するのが好適である。
【００３４】
また、光磁気記録媒体に対するニアフィールド光記録再生方式においては、記録時または／および再生時に磁界が必要になることから、第１の光学レンズ（ソリッドイマージョンレンズ）５１の対物面５１ｂの一部に磁気コイル等を取り付けた構成とすることができる。
【００３５】
次に、上述した本発明による光学レンズ装置ニアフィールド集光レンズ装置５０における光学レンズ５１、すなわち本発明による集光光学レンズ構体、光学ピックアップ装置、および光記録再生装置における光学レンズ５１の実施例を説明する。
［実施例１］
この実施例における光学レンズ５１すなわちソリッドイマージョンレンズは、前述の図３に示した対物面５１ｂが切頭円錐状の凸形状を有する構成とした場合である。
このソリッドイマージョンレンズにおいては、オハラ社製Ｓ−ＬＡＨ７９の高屈折率ガラス材料によって作製した。このソリッドイマージョンレンズの半径は０．４５ｍｍ、その厚さは０．６６７ｍｍとし、その対物面１ｂの凸形状は７０度の切頭円錐形状とし、その切頭平面部５１ｂｏの半径は４０μｍとして作製した。
そして、対物面５１ｂの凸形状部の傾斜面の一半部に、集塵手段６０として粘着フィルムを半円状に装着した。
【００３６】
この構成による光学レンズに対し、図６に示すように、光記録媒体１、例えば光ディスクを光学レンズ５１に対して集塵手段６０が配置されていない側から、集塵手段６０が配置された側に向かって矢印ａで示す方向に移行すなわち回転するようにする。このとき、この光学レンズ５１と光記録媒体１との間に入り込んだ塵埃７０は矢印ｂで示すように、凸形状の周辺に流れ、光記録媒体１の移行方向ａの先方方向に流れて、有効に集塵手段６０によって集塵される。
そして、この塵埃７０が、光記録媒体１に付着してしまうという不都合を効果的に低減することが確認された。
【００３７】
これに比し、上述した実施例と同一材料、寸法形状を有する光学レンズ５１を構成するものの、集塵手段６０を具備しない従来構造によるものについて、同一条件で測定したところ、上述した塵埃７０は、光記録媒体１の表面に付着して、爾後において、ソリッドイマージョンレンズと光記録媒体との衝突原因となった。
【００３８】
［実施例２］
上述した実施例においては、集塵手段６０を、光学レンズ５１に配置した場合であるが、この実施例においては、図７にその概略斜視図を示すように、集塵手段６０を、光学レンズ５１の外周部で保持するレンズ保持体６２の対物側の面６２ｂに配置した。
このように、レンズ保持体６２に集塵手段６０を配置する場合においても光学レンズ５１の先端より、光記録媒体１に対して後退した位置に配置する。
【００３９】
この集塵手段６０は、図７で示すように、レンズ５１の集光部を囲んでその外周の全域に配置することもできるが、図６で説明したように、光記録媒体の移行方向ａの先方側の一部に配置することもできる。
集塵手段６０は、環境中の塵埃や、光学レンズ、光学レンズ保持体、光学ピックアップ装置、光記録装置、光記録媒体などから発生する汚染物を粘着吸着、帯電吸着、吸引等によって集塵する。
この集塵装置としては、例えば粘着フィルム、帯電フィルム、帯電装置によって構成することができるが、例えば実施例２におけるように、レンズ保持体６２に集塵手段６０を配置する構成とするときは、その対物側の面６２ｂに吸引口が開口する真空ポンプに連結する吸引装置等によって構成することができる。
【００４０】
上述したように、本発明による光学レンズは、開口数が大なる集光レンズを構成し得るソリッドイマージョンレンズ、ニアフィールド構成とすることができるものであるが、特に、その対物面が凸形状として、その傾きマージンを大とすることができるようにした構成において、これに集塵手段６０を設けて、汚染物質となる塵埃に対する集塵効果を高めたことによって、それぞれの本来の動作を確実に行うことができ、同時に例えば光学ピックアップ装置、および光記録再生装置において、フォーカシング制御、トラッキング制御、ギャップ制御を確実に行うことができ、更にはシーク時間等のサーボ特性の向上を図ることができるものである。
【００４１】
尚、本発明は、上述した例に限られるものではなく、本発明構成において、光学レンズ装置、ニアフィールド集光レンズ装置、光学ピックアップ装置、および光記録再生装置について、種々の変形変更を行うことができる。
【図面の簡単な説明】
【００４２】
【図１】本発明による光記録再生装置の一例の概略構成図である。
【図２】本発明による集光光学レンズの一例の概略断面図である。
【図３】ＡおよびＢは、本発明による光学レンズの一例の側面図および平面図である。
【図４】ＡおよびＢは、本発明による光学レンズの一例の側面図および平面図である。
【図５】ＡおよびＢは、本発明による光学レンズの一例の側面図および平面図である。
【図６】本発明の動作の説明に供する模式図である。
【図７】本発明による光学レンズ装置の他の例の斜視図である。
【図８】従来の集光光学レンズの概略断面図である。
【符号の説明】
【００４３】
１，１００……光記録媒体、１０……光源部、１１……コリメートレンズ、１２……無偏光ビームスプリッタ、１３……偏光ビームスプリッタ、１４……１／４波長板、１５……ビームエキスパンダ、１６……ミラー、１７……２軸アクチュエータ、１８……集光レンズ、１９，２１……受光手段、３０……光記録媒体の配置部、４０……光学ピックアップ装置、５０……集光光学レンズ構体、５１……第１の光学レンズ（ソリッドイマージョンレンズ：ＳＩＬ）、５１ａ……光入射面、５１ｂ……対物面、５１ｂｏ……平坦面５２……第２の光学レンズ、６０……集塵手段、６１……光学レンズ装置、６２……レンズ保持体、６２ｂ……対物側の面、７０……塵埃
【図１】
2006209909.tif 000003
【図２】
2006209909.tif 000004
【図３】
2006209909.tif 000005
【図４】
2006209909.tif 000006
【図５】
2006209909.tif 000007
【図６】
2006209909.tif 000008
【図７】
2006209909.tif 000009
【図８】
2006209909.tif 000010